(57)【要約】【課題】ユーザーの利便性を向上できる表示制御装置を提供する。【解決手段】表示制御装置２００は、タッチパネル部２１０と、表示制御部２７０と、記憶部２４０とを備える。タッチパネル部２１０は、ユーザーからの操作を受け付ける。表示制御部２７０は、ユーザーが選択した機能に対応する画面をタッチパネル部２１０に表示する。記憶部２４０は、画面の画面情報を記憶する。表示制御部２７０は、タッチパネル部２１０を第１状態と第２状態との間で変更する。記憶部２４０は、タッチパネル部２１０が第２状態に変更される前の画面情報を記憶する。第２状態のタッチパネル部２１０は、所定の位置に対する操作を検出する。表示制御部２７０は、記憶２４０が記憶した画面情報と操作された所定の位置とに基づいて、第１状態のタッチパネル部２１０に所定の位置に対応する画面を表示する。【選択図】図１
2020005160.tif 000002
【特許請求の範囲】
【請求項１】
ユーザーからの操作を受け付けるタッチパネル部と、
前記ユーザーが選択した機能に対応する画面を前記タッチパネル部に表示する表示制御部と、
前記画面の内容を示す画面情報を記憶する記憶部と、
を備え、
前記表示制御部は、前記タッチパネル部を第１状態と第２状態との間で変更し、
前記記憶部は、前記タッチパネル部が前記第２状態に変更される前の前記画面情報を記憶し、
前記第２状態の前記タッチパネル部は、所定の位置に対する操作を検出し、
前記表示制御部は、前記記憶部が記憶した前記画面情報と前記操作された前記所定の位置とに基づいて、前記第１状態の前記タッチパネル部に前記所定の位置に対応する画面を表示し、
前記第１状態は、前記第２状態の前記タッチパネル部の消費電力量より消費電力量が多い状態である、表示制御装置。
【請求項２】
前記所定の位置は、前記第２状態の前記タッチパネル部の複数の所定箇所のうちの１つである、請求項１に記載の表示制御装置。
【請求項３】
前記第１状態の前記タッチパネル部には、アイコンが複数表示され、
前記所定の位置は、前記第１状態の前記タッチパネル部に表示された前記アイコンに対応する位置である、請求項１または請求項２に記載の表示制御装置。
【請求項４】
前記所定の位置に対する前記操作は、前記ユーザーが設定した任意の操作である、請求項１から請求項３のいずれか１項に記載の表示制御装置。
【請求項５】
前記所定の位置に対する前記操作は、前記タッチパネル部を所定の力で押圧する操作である、請求項１から請求項３のいずれか１項に記載の表示制御装置。
【請求項６】
前記記憶部は、前記タッチパネル部が前記第２状態になった時間を記憶し、
前記表示制御部は、前記時間から所定時間が経過した場合、前記記憶部に記憶された前記画面情報を削除する、請求項１から請求項５のいずれか１項に記載の表示制御装置。
【請求項７】
ユーザー情報を取得する取得部をさらに備え、
前記表示制御部は、第１ユーザー情報と第２ユーザー情報とが一致するか否かを判定し、
第１ユーザー情報は、前記タッチパネル部が前記第２状態に変更される前に前記取得部が取得したユーザー情報であり、
第２ユーザー情報は、前記第２状態の前記タッチパネル部が、前記所定の位置に対する操作を検出した際に前記取得部が取得したユーザー情報である、請求項１から請求項６のいずれか１項に記載の表示制御装置。
【請求項８】
請求項１から請求項７のいずれか１項に記載の表示制御装置と、
記録媒体に画像を形成する画像形成部と、
前記記録媒体に形成された画像を読み取る読取部と、
前記画像形成部と前記読取部とを休止させる休止部とを備える、画像形成装置。
【請求項９】
ユーザーからの操作を受け付けるタッチパネル部を備える表示制御装置の表示制御方法であって、
前記ユーザーが選択した機能に対応する画面を前記タッチパネル部に表示する第１工程と、
前記画面の内容を示す画面情報を記憶する第２工程と、
前記タッチパネル部を第１状態と第２状態との間で変更する第３工程と、
前記タッチパネル部が前記第２状態に変更される前の前記画面情報を記憶する第４工程と、
前記第２状態の前記タッチパネル部が所定の位置に対する操作を検出する第５工程と、
前記第４工程で記憶した前記画面情報と前記操作された前記所定の位置とに基づいて、前記第１状態の前記タッチパネル部に前記所定の位置に対応する画面を表示する第６工程と
を備え、
前記第１状態は、前記第２状態の前記タッチパネル部の消費電力量より消費電力量が多い状態である、表示制御方法。
【発明の詳細な説明】
【技術分野】
【０００１】
本発明は、表示制御装置、画像形成装置及び表示制御方法に関する。
【背景技術】
【０００２】
従来、装置を省エネ待機状態とすることが可能な画像形成装置が知られている。このような画像形成装置として、特許文献１に記載の画像形成装置は、表示部を備える。表示部は、各種機能のボタンを表示する。各種機能のボタンは、スキャナーと、プリンターと、ドキュメントボックスと、コピーとに対応する。各種機能のボタンを操作することで、ボタンに対応する装置の電源が復帰する。特許文献１に記載の画像形成装置によれば、省エネ待機状態の装置を復帰できる。
【先行技術文献】
【特許文献】
【０００３】
【特許文献１】特開２００４−２２２２３４号公報
【発明の概要】
【発明が解決しようとする課題】
【０００４】
しかしながら、特許文献１に記載の画像形成装置では、ユーザーが望む機能の画面を表示させて装置を復帰させることができない。したがって、復帰操作の利便性が充分でない。
【０００５】
本発明は上記課題に鑑みてなされたものであり、機能に対応する装置を復帰操作する際のユーザーの利便性を向上させることができる表示制御装置、画像形成装置及び表示制御方法を提供することを目的とする。
【課題を解決するための手段】
【０００６】
本発明に係る表示制御装置は、タッチパネル部と、表示制御部と、記憶部とを備える。前記タッチパネル部は、ユーザーからの操作を受け付ける。前記表示制御部は、前記ユーザーが選択した機能に対応する画面を前記タッチパネル部に表示する。前記記憶部は、前記画面の内容を示す画面情報を記憶する。前記表示制御部は、前記タッチパネル部を第１状態と第２状態との間で変更する。前記記憶部は、前記タッチパネル部が前記第２状態に変更される前の前記画面情報を記憶する。前記第２状態の前記タッチパネル部は、所定の位置に対する操作を検出する。前記表示制御部は、前記記憶部が記憶した前記画面情報と前記操作された前記所定の位置とに基づいて、前記第１状態の前記タッチパネル部に前記所定の位置に対応する画面を表示する。前記第１状態は、前記第２状態の前記タッチパネル部の消費電力量より消費電力量が多い状態である。
【０００７】
本発明に係る画像形成装置は、表示制御装置と、画像形成部と、読取部と、休止部とを備える。前記画像形成部は、記録媒体に画像を形成する。前記読取部は、前記記録媒体に形成された画像を読み取る。前記休止部は、前記画像形成部と前記読取部とを休止させる。
【０００８】
本発明に係る表示制御方法は、第１工程と、第２工程と、第３工程と、第４工程と、第５工程と、第６工程とを備える。前記第１工程は、前記ユーザーが選択した機能に対応する画面を前記タッチパネル部に表示する。前記第２工程は、前記画面の内容を示す画面情報を記憶する。前記第３工程は、前記タッチパネル部を第１状態と第２状態との間で変更する。前記第４工程は、前記タッチパネル部が前記第２状態に変更される前の前記画面情報を記憶する。前記第５工程は、前記第２状態の前記タッチパネル部が所定の位置に対する操作を検出する。前記第６工程は、前記記憶部が記憶した前記画面情報と前記操作された前記所定の位置とに基づいて、前記第１状態の前記タッチパネル部に前記所定の位置に対応する画面を表示する。前記第１状態は、前記第２状態の前記タッチパネル部の消費電力量より消費電力量が多い状態である。
【発明の効果】
【０００９】
本発明によれば、機能に対応する装置を復帰操作する際のユーザーの利便性を向上できる。
【図面の簡単な説明】
【００１０】
【図１】本発明の実施形態に係る表示制御装置を備える画像形成装置を示す図である。
【図２】本発明の実施形態に係る表示制御装置を備える画像形成装置のブロック図である。
【図３】第１状態のタッチパネル部を示す図である。
【図４】タッチパネル部に表示された第２選択画面を示す図である。
【図５】第２状態のタッチパネル部を示す図である。
【図６】表示制御部が実行する処理を示すフローチャートを示す図である。
【発明を実施するための形態】
【００１１】
以下、本発明の実施形態について、図面を参照しながら説明する。なお、図中、同一または相当部分については同一の参照符号を付して説明を繰り返さない。
【００１２】
（実施形態１）
図１を参照して、本発明の実施形態１に係る表示制御装置２００を備える画像形成装置１００を説明する。図１は、本発明の実施形態１に係る表示制御装置２００を備える画像形成装置１００を示す。図１に示す画像形成装置１００は、複写機、プリンター、ファクシミリまたはこれらの機能を兼ね備えた複合機である。以下、画像形成装置１００として複写機を例に本発明を説明するが、本発明はこれに限定されない。
【００１３】
画像形成装置１００は、画像形成部１１０と、画像読取部１８０とを備える。画像形成部１１０は、給紙カセット１２０と、定着装置１３０と、作像部１４０と、トナー補給装置１５０と、用紙排出部１６０と、用紙搬送部Ｔとを備える。画像形成部１１０は、画像読取部１８０によって読み取られた画像データに基づいて画像を形成する。用紙搬送部Ｔは、用紙搬送路を備える。
【００１４】
給紙カセット１２０は、印刷用の用紙Ｐを収容する。複写を行う際、給紙カセット１２０内の用紙Ｐは、作像部１４０と定着装置１３０とを経由して用紙排出部１６０から排出される。用紙Ｐは、用紙搬送部Ｔによって搬送される。
【００１５】
作像部１４０は、トナー像を用紙Ｐに形成する。作像部１４０は、感光体１４１と、現像装置１４２と、転写装置１４３とを含む。
【００１６】
感光体１４１は、画像読取部１８０で生成された原稿画像を示す電子信号に基づいて、静電潜像を形成する。現像装置１４２は、現像ローラーを有する。現像ローラーは、感光体１４１にトナーを供給して静電潜像を現像させることで、感光体１４１にトナー像を形成する。現像装置１４２には、トナー補給装置１５０からトナーが補給される。
【００１７】
転写装置１４３は、感光体１４１に形成されたトナー像を用紙Ｐに転写する。
【００１８】
定着装置１３０は、用紙Ｐを加熱及び加圧することで、作像部１４０において形成された未定着のトナーを溶融させて用紙Ｐに定着させる。
【００１９】
定着装置１３０は、加圧ローラー１３１と、定着ローラー１３２とを備える。加圧ローラー１３１と定着ローラー１３２とは、互いに当接してニップ部を形成する。加圧ローラー１３１と定着ローラー１３２とは、回転しながらニップ部において用紙Ｐを挟んで用紙Ｐを搬送する。
【００２０】
加圧ローラー１３１は、回転しながら、ニップ部を通過する用紙Ｐを加圧する。定着ローラー１３２は、回転しながら、ニップ部を通過する用紙Ｐを加熱してトナーを溶融させる。加熱された定着ローラー１３２は、ニップ部において用紙Ｐに接触する。加熱された定着ローラー１３２は、用紙Ｐに接触することで用紙Ｐを加熱する。
【００２１】
表示制御装置２００は、画像を表示する。表示制御装置２００は、タッチパネル部２１０と、操作部２２０と、カメラ２３０とを備える。
【００２２】
タッチパネル部２１０は、ユーザーからの操作を受け付ける。また、タッチパネル部２１０は、画像を表示する。タッチパネル部２１０は、矩形である。タッチパネル部２１０は、検出部２１１と表示部２１２とを含む。検出部２１１と表示部２１２との形状は、タッチパネル部２１０と同様である。
【００２３】
検出部２１１はユーザーの操作を検出する。検出部２１１は、表示部２１２に重なるように配置される。なお、検出部２１１は透明である。ユーザーの操作は、タッチ操作とスワイプ操作とを含む。タッチ操作は、検出部２１１にユーザーの指を接触させる操作である。スワイプ操作は、ユーザーの指が検出部２１１に接触している状態で指を移動させる操作である。また、検出部２１１は、ユーザーの指が接触した位置の押圧力を検出する。
【００２４】
例えば、タッチ操作を検出する場合、検出部２１１は、ユーザーの指が接触している位置を検出する。また、スワイプ操作を検出する場合、検出部２１１は、ユーザーの指の擦動を検出する。擦動は、ユーザーの指が検出部２１１に接触している状態で指が移動することを示す。検出部２１１は、操作された位置の位置情報を表示制御装置２００に送信する。
【００２５】
表示部２１２は画像を表示する。表示部２１２は、画面を含む。表示部２１２は画面に任意の画像を表示する。表示部２１２は、液晶表示装置であってもよく、有機ＥＬ表示装置であってもよい。ユーザーは、検出部２１１を介して表示部２１２の画面に表示された画像を視認できる。
【００２６】
操作部２２０は、ユーザーに画像形成装置１００を操作させるためのパネルである。操作部２２０は、ユーザーからの各種情報の入力を受け付ける。操作部２２０は、複数の操作入力部を備える。操作入力部は、例えば、ボタンである。
【００２７】
カメラ２３０は、ユーザー情報を取得する。カメラ２３０は、ＣＣＤ（Ｃｈａｒｇｅ  Ｃｏｕｐｌｅｄ  Ｄｅｖｉｃｅ）素子を備え、人体の部位を撮像する。カメラ２３０は、「取得部」に相当する。カメラ２３０が撮像したユーザー情報は、記憶部に記憶される。
【００２８】
次に、図２を参照して、制御部１７０及び表示制御部２７０を説明する。図２は、表示制御装置２００を備える画像形成装置１００のブロック図である。画像形成装置１００は、第１記憶部１９０と、制御部１７０とをさらに備える。
【００２９】
制御部１７０は、ＣＰＵ（Ｃｅｎｔｒａｌ  Ｐｒｏｃｅｓｓｉｎｇ  Ｕｎｉｔ）のようなプロセッサーを含む。制御部１７０は、休止部１７１を含む。具体的には、制御部１７０のプロセッサーが、第１記憶部１９０に記憶されたコンピュータープログラムを実行することによって、休止部１７１として機能する。また、制御部１７０のプロセッサーが、第１記憶部１９０に記憶されたコンピュータープログラムを実行することによって、画像形成部１１０や画像読取部１８０等を制御する。
【００３０】
休止部１７１は、画像形成装置１００を通常状態とスリープ状態との間で変更する。通常状態は、例えば、画像形成装置１００が画像を形成できる状態である。スリープ状態は、例えば、画像形成装置１００が画像を形成できない状態である。休止部１７１によって、画像形成装置１００の状態を変更できる。
【００３１】
第１記憶部１９０は、制御プログラムを記憶する。制御プログラムは、例えば、画像形成装置１００の動作を制御するプログラムを含む。画像形成装置１００の動作を制御するプログラムは、例えば、コピー機能と、スキャン機能とを含む。第１記憶部１９０は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００３２】
また、図２に示すように、表示制御装置２００は、表示制御部２７０と、第２記憶部２４０とをさらに備える。表示制御部２７０は、制御プログラムを実行することにより、表示制御装置２００の動作を制御する。表示制御部２７０は、ＣＰＵ（Ｃｅｎｔｒａｌ  Ｐｒｏｃｅｓｓｉｎｇ  Ｕｎｉｔ）のようなプロセッサーによって構成される。また、表示制御部２７０は、表示制御装置２００を動作させる集積回路を備える。表示制御装置２００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００３３】
表示制御部２７０は、表示部２１２と、検出部２１１と、第２記憶部２４０と、操作部２２０と、カメラ２３０とにそれぞれ接続されている。例えば、表示制御部２７０はタッチパネル部２１０の表示部２１２を制御する。例えば、表示制御部２７０は、検出部２１１の検出結果に基づいて、表示部２１２が表示する画像を変更する。表示制御部２７０と制御部１７０とは、通信可能である。
【００３４】
第２記憶部２４０は、制御プログラムと、画面情報と、時間を示す情報と、ユーザーの情報と、画像とを記憶する。画面情報は、タッチパネル部２１０に表示された画面の内容を示す。制御プログラムは、例えば、表示制御部２７０の動作を制御するプログラムを含む。
【００３５】
第２記憶部２４０は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００３６】
表示制御部２７０は、タッチパネル部２１０の状態を変更する。表示制御部２７０は、タッチパネル部２１０を第１状態と第２状態との間で変更する。第１状態のタッチパネル部２１０は、第２状態のタッチパネル部２１０と比べて輝度が高い。このため、第１状態のタッチパネル部２１０の消費電力量は、第２状態のタッチパネル部２１０の消費電力量と比べて多い。第２状態のタッチパネル部２１０は、第１状態のタッチパネル部２１０と比べて輝度が低い。このため、第２状態のタッチパネル部２１０の消費電力量は、第１状態のタッチパネル部２１０の消費電力量と比べて少ない。
【００３７】
表示制御部２７０は、ユーザーを判定する。表示制御部２７０は、カメラ２３０が撮像したユーザー情報に基づいて、所定のユーザーか否かを判定する。具体的には、カメラ２３０が撮像したユーザー情報と第２記憶部２４０に記憶されたユーザー情報とが一致しない場合、表示制御部２７０は、所定のユーザーでないと判定する。所定のユーザーは、第２記憶部２４０に記憶されたユーザーである。ユーザー情報は、第２記憶部２４０に複数記憶されている。
【００３８】
次に図３を参照して、第１状態のタッチパネル部２１０を説明する。図３は、第１状態のタッチパネル部２１０を示す図である。第１状態のタッチパネル部２１０には、画像形成装置１００の第１選択画面Ｐ１が表示される。第１選択画面Ｐ１は、画像形成装置１００の機能を選択するための画面である。第１選択画面Ｐ１には、複数の第１アイコンＰ２が表示される。第１アイコンＰ２は、画像形成装置１００の機能を示す画像である。図３に示すように、第１選択画面Ｐ１には、「Ｃｏｐｙ」を示す第１アイコンＰ２と、「Ｓｅｎｄ」を示す第１アイコンＰ２と、「Ｃｕｓｔｏｍ  Ｂｏｘ」を示す第１アイコンＰ２と、「Ｊｏｂ  Ｂｏｘ」を示す第１アイコンＰ２と、「Ｒｅｍｏｖａｂｌｅ  Ｍｅｍｏｒｙ」を示す第１アイコンＰ２と、「Ｔｅｓｔ  Ａｐｐｌｉｃａｔｉｏｎ」を示す第１アイコンＰ２と、「ＩＤ  Ｃａｒｄ  Ｃｏｐｙ」を示す第１アイコンＰ２と、「Ｅｃｏ  Ｃｏｐｙ」を示す第１アイコンＰ２とが表示される。
【００３９】
第１選択画面Ｐ１に表示された複数の第１アイコンＰ２は、タッチ操作を受け付ける。例えば、「Ｃｏｐｙ」を示す第１アイコンＰ２を選択する場合、「Ｃｏｐｙ」を示す第１アイコンＰ２が表示されている位置をタッチ操作する。「Ｃｏｐｙ」を示す第１アイコンＰ２は、画像形成装置１００のコピー機能を示す画像である。タッチパネル部２１０は、タッチ操作を検出する。具体的には、タッチパネル部２１０は、タッチ操作の位置を検出する。タッチパネル部２１０は、タッチ操作の位置を示す位置情報を表示制御部２７０に送信する。この結果、第１選択画面Ｐ１に表示された「Ｃｏｐｙ」を示す第１アイコンＰ２を選択できる。
【００４０】
次に図３と図４を参照して、タッチパネル部２１０に表示される画像形成装置１００の第２選択画面Ｐ３を説明する。図４は、タッチパネル部２１０に表示された第２選択画面Ｐ３を示す図である。第２選択画面Ｐ３は、図３に示す第１選択画面Ｐ１で選択された画像形成装置１００の機能の詳細を設定するための画面である。図４に示すように、第２選択画面Ｐ３は、コピー機能の詳細を設定するための画面である。コピー機能の詳細を設定するための画面は、４つの第２アイコンＰ４を含む。第２アイコンＰ４は、「Ｑｕｉｃｋ  Ｓｅｔｕｐ」を示すタブと、「Ｏｒｇ／Ｐａｐｅｒ／Ｆｉｎｉｓｈｉｎｇ」を示すタブと、「Ｉｍａｇｅ  Ｑｕａｌｉｔｙ」を示すタブと、「Ｌａｙｏｕｔ／Ｅｄｕｔ」を示すタブとを含む。図４では「Ｑｕｉｃｋ  Ｓｅｔｕｐ」の詳細を設定する画面が表示されている。
【００４１】
第２アイコンＰ４は、タッチ操作を受け付ける。例えば、「Ｑｕｉｃｋ  Ｓｅｔｕｐ」を示す第２アイコンＰ４を選択する場合、「Ｑｕｉｃｋ  Ｓｅｔｕｐ」が表示されているタブの位置をタッチ操作する。タッチパネル部２１０は、タッチ操作を検出する。具体的には、タッチパネル部２１０は、タッチ操作の位置を検出する。表示制御部２７０は、タッチ操作の位置に基づいて、「Ｑｕｉｃｋ  Ｓｅｔｕｐ」を示す第２アイコンＰ４に含まれる第３アイコンＰ５を表示する。この結果、第２アイコンＰ４を操作することで、第２アイコンＰ４に対応する第２選択画面Ｐ３を表示できる。
【００４２】
第２選択画面Ｐ３の各々は、複数の第３アイコンＰ５を示す画像を含む。図４に示す「Ｑｕｉｃｋ  Ｓｅｔｕｐ」を示す第２選択画面Ｐ３は、５つの第３アイコンＰ５を含む。第３アイコンＰ５は、「Ｐａｐｅｒ  Ｓｅｌｅｃｔｉｏｎ」を示す画像と、「Ｚｏｏｍ」を示す画像と、「Ｄｅｎｓｉｔｙ」を示す画像と、「Ｄｕｐｌｅｘ」を示す画像と、「Ｃｏｍｂｉｎｅ」を示す画像とを含む。「Ｐａｐｅｒ  Ｓｅｌｅｃｔｉｏｎ」を示す第３アイコンＰ５では、用紙Ｐの種類を設定できる。「Ｄｕｐｌｅｘ」を示す第３アイコンＰ５では、片面のみに画像を形成するか、両面に画像を形成するかを設定できる。「Ｚｏｏｍ」を示す第３アイコンＰ５では、画像の倍率を設定できる。「Ｃｏｍｂｉｎｅ」を示す第３アイコンＰ５では、用紙Ｐの片面に複数の画像を形成するかを設定できる。「Ｄｅｎｓｉｔｙ」を示す第３アイコンＰ５では、画像の濃度を設定できる。
【００４３】
第３アイコンＰ５はタッチ操作を受け付ける。例えば、第３アイコンＰ５を選択する場合、第３アイコンＰ５が表示されている位置をタッチ操作する。タッチパネル部２１０は、タッチ操作を検出する。具体的には、タッチパネル部２１０は、タッチ操作の位置を検出する。表示制御部２７０は、タッチ操作の位置に基づいて、タッチ操作の位置に対応する設定を変更することができる。例えば、「Ｄｕｐｌｅｘ」を示す第３アイコンＰ５をタッチ操作する。「Ｄｕｐｌｅｘ」を示す第３アイコンＰ５をタッチ操作することで、「１−ｓｉｄｅｄ」か「２−ｓｉｄｅｄ」かを選択できるポップアップ画面（図示せず）が表示される。ユーザーがどちらかを選択することにより、「Ｄｕｐｌｅｘ」の設定が変更される。第３アイコンＰ５を示す画像をタッチ操作することで、第１選択画面Ｐ１で選択した機能の設定を変更できる。変更後の設定を示す情報は、第２記憶部２４０に記憶される。なお、第３アイコンＰ５をタッチ操作した場合に、設定を順番に変更するようにし、ポップアップ画面を表示しないようにしてもよい。
【００４４】
次に、図５を参照して、第２状態のタッチパネル部２１０を説明する。図５は、第２状態のタッチパネル部２１０を示す図である。第２状態のタッチパネル部２１０には、画像が表示されない。表示制御部２７０は、表示部２１２の輝度が低くなるように表示部２１２を変更する。なお、タッチパネル部２１０は、ユーザーからの操作を検出できる状態である。タッチパネル部２１０が第２状態となる場合、休止部１７１は画像形成装置１００をスリープ状態に変更する。
【００４５】
次に、図３〜図５を参照して、タッチパネル部２１０を第１状態と第２状態との間で変更する処理を説明する。
【００４６】
第１選択画面Ｐ１または、第２選択画面Ｐ３がタッチパネル部２１０に表示された状態で所定時間が経過した場合、表示制御部２７０は、図５に示すように、タッチパネル部２１０を第２状態に変更する。具体的には、表示制御部２７０は、所定時間内にタッチパネル部２１０が操作されたか否かを判定する。所定時間内にタッチパネル部２１０が操作されていないと判定した場合、表示制御部２７０は、タッチパネル部２１０を第１状態から第２状態にする。また、表示制御部２７０は、表示部２１２が画像を表示しないように、表示部２１２を制御する。所定時間は、例えば、タッチパネル部２１０が最後の操作を検出した時から１分である。所定時間は、ユーザーが任意で設定できる。また、画像形成装置１００の休止部１７１は、表示制御部２７０の判定結果に基づいて、画像形成装置１００を休止させてもよい。
【００４７】
なお、タッチパネル部２１０を第１状態から第２状態に変更する場合、表示制御部２７０は、第２記憶部２４０が第１情報と第２情報とを記憶するように、第２記憶部２４０を制御する。第１情報は、タッチパネル部２１０が第２状態に変更される前に表示されていた画面の内容を示す画面情報である。例えば、図４に示すように、タッチパネル部２１０が第２状態に変更される前の「Ｃｏｐｙ」機能の第２選択画面Ｐ３の画面情報である。画面情報には、アイコンの位置情報が含まれる。例えば、「Ｃｏｐｙ」機能の第２選択画面Ｐ３の画面情報の場合、第２アイコンＰ４と第３アイコンＰ５との位置情報が含まれる。第２情報は、タッチパネル部２１０が第２状態となった時間を示す情報である。
【００４８】
図５に示すように、第２状態のタッチパネル部２１０が操作を受け付けた場合、表示制御部２７０は、タッチパネル部２１０を第１状態に変更する。
【００４９】
タッチパネル部２１０を第２状態から第１状態に変更する場合、表示制御部２７０は、タッチパネル部２１０に対して操作がされたか否かを判定する。第２状態のタッチパネル部２１０に対して操作があった場合、表示制御部２７０は、タッチパネル部２１０を第２状態から第１状態に変更する。また、表示制御部２７０は、表示部２１２が第１選択画面Ｐ１を表示するように、表示部２１２を制御する。なお、画像形成装置１００の休止部１７１は、表示制御部２７０の判定結果に基づいて、休止状態の画像形成装置１００を通常状態に変更する。
【００５０】
また、タッチパネル部２１０が所定の位置に対する操作を検出した場合、表示制御部２７０は、第１情報と操作された所定の位置とに基づいて、所定の位置に対応する画面を第１状態のタッチパネル部２１０に表示させることができる。所定の位置は、第１状態のタッチパネル部２１０に表示されたアイコンの位置を示す。所定の位置は、例えば、第１アイコンＰ２の位置である。さらに具体的には、第１アイコンＰ２が表示されていた位置に対する操作を第２状態のタッチパネル部２１０が検出した場合、表示制御部２７０は、第１情報と操作された第１アイコンＰ２の位置とに基づいて、第１アイコンＰ２に対応する画面を第１状態のタッチパネル部２１０に表示させる。この結果、タッチパネル部２１０が第２状態となる前の画面に表示された第１アイコンＰ２に対応する画面を第１状態のタッチパネル部２１０に表示できる。
【００５１】
例えば、図３に示すように、第２状態に変更される前にタッチパネル部２１０に表示されていた画面が第１選択画面Ｐ１であった場合、表示制御部２７０は、表示されていた第１選択画面Ｐ１の画面情報を記憶する。ユーザーは、「Ｃｏｐｙ」を示す第１アイコンＰ２が表示されていた位置をタッチ操作する。「Ｃｏｐｙ」を示す第１アイコンＰ２が表示されていた位置に対するタッチ操作を第２状態のタッチパネル部２１０が検出する。表示制御部２７０は、図４に示すように、第１状態のタッチパネル部２１０に「Ｃｏｐｙ」を示す第１アイコンＰ２に対応する第２選択画面Ｐ３を表示する。この結果、タッチパネル部２１０が第２状態となる前の画面に表示されていた第１アイコンＰ２の位置をタッチ操作することにより、第１選択画面Ｐ１を表示せずに、タッチ操作された第１アイコンＰ２に対応する第２選択画面Ｐ３を第１状態のタッチパネル部２１０に表示させることができる。
【００５２】
例えば、図４に示すように、第２状態に変更される前にタッチパネル部２１０に表示されていた画面が第２選択画面Ｐ３であった場合、表示制御部２７０は、表示されていた第２選択画面Ｐ３の画面情報を記憶する。ユーザーは、「Ｌａｙｏｕｔ／Ｅｄｕｔ」を示す第２アイコンＰ４が表示されていた位置をタッチ操作する。「Ｌａｙｏｕｔ／Ｅｄｕｔ」を示す第２アイコンＰ４が表示されていた位置に対するタッチ操作を第２状態のタッチパネル部２１０が検出する。表示制御部２７０は、第１状態のタッチパネル部２１０に「Ｌａｙｏｕｔ／Ｅｄｕｔ」を示す第２アイコンＰ４に対応する第２選択画面Ｐ３を表示する。この結果、タッチパネル部２１０が第２状態となる前の第２選択画面Ｐ３に表示されていた第２アイコンＰ４の位置をタッチ操作することにより、第１選択画面Ｐ１を表示せずに、タッチ操作された第２アイコンＰ４に対応する第２選択画面Ｐ３を第１状態のタッチパネル部２１０に表示させることができる。
【００５３】
所定の位置を第１アイコンＰ２と第２アイコンＰ４と第３アイコンＰ５との位置とすることで、ユーザーは操作位置を覚えやすい。したがって、第２状態のタッチパネル部２１０であっても所定の位置を操作できる。この結果、ユーザーの利便性が向上できる。
【００５４】
なお、所定の位置以外に操作があった場合、表示制御部２７０は、第１状態のタッチパネル部２１０に第１選択画面Ｐ１を表示する。第２状態となる前に選択された機能を使用しない場合に、効果的である。この結果、ユーザーの利便性が向上する。
【００５５】
また、所定の位置に対する操作は、タッチパネル部２１０に対する所定の操作であってもよい。例えば、所定の操作は、タッチパネル部２１０に対するタッチ操作である。また、所定の操作は、タッチパネル部２１０に対する円を描くような擦動であってもよい。具体的には、第２状態のタッチパネル部２１０が所定の位置に対する所定の操作を検出した場合、表示制御部２７０は、第１情報と操作された所定の位置と基づいて、所定の位置に対応する画面を第１状態のタッチパネル部２１０に表示させることができる。この結果、所定の位置に対応する画面を第１状態のタッチパネル部２１０に表示できる。このため、タッチパネル部２１０を第１状態から第２状態に変更する操作をユーザーが望む操作にできる。したがって、ユーザーの利便性が向上する。なお、所定の操作は、ユーザーが予め設定できる。
【００５６】
また、所定の操作は、所定の力でタッチパネルを押下する動作であってもよい。具体的には、表示制御部２７０は、タッチパネル部２１０の所定の位置に対する押圧力が、所定の閾値以下であるか否かを判定する。所定の閾値以下でない場合、表示制御部２７０は、第１情報と操作された所定の位置とに基づいて、所定の位置に対応する画面を第１状態のタッチパネル部２１０に表示させることができる。また、表示制御部２７０は、タッチパネル部２１０の所定の位置に対する押圧力が所定の閾値以下である場合、第１選択画面Ｐ１を表示する。この結果、タッチパネル部２１０を第１状態から第２状態に変更する操作をユーザーが望む操作にできる。したがって、ユーザーの利便性が向上する。
【００５７】
また、表示制御部２７０は、タッチパネル部２１０が第２状態となってから所定時間経過した場合、第２記憶部２４０の第１情報を削除する。所定時間は、例えば、タッチパネル部２１０が第２状態となってから５分である。所定時間は、ユーザーが任意で設定できる。この結果、所定時間を経過した場合は、第１情報が第２記憶部２４０から削除され、第１選択画面Ｐ１が表示される。
【００５８】
次に図２〜図６を参照して、表示制御部２７０がタッチパネル部２１０を第２状態から第１状態に変更する処理を説明する。図６は、表示制御部２７０が実行する処理を示すフローチャートである。表示制御部２７０が実行する処理は、ステップＳ１〜ステップＳ１５を含む。
【００５９】
ステップＳ１：表示制御部２７０は、第１状態のタッチパネル部２１０を第２状態に変更する。処理は、ステップＳ３に進む。
【００６０】
ステップＳ３：表示制御部２７０は、第２記憶部２４０が第１情報を記憶するように、第２記憶部２４０を制御する。処理は、ステップＳ５に進む。
【００６１】
ステップＳ５：表示制御部２７０は、第２記憶部２４０が第２情報を記憶するように、第２記憶部２４０を制御する。処理は、ステップＳ７に進む。
【００６２】
ステップＳ７：表示制御部２７０は、タッチパネル部２１０が第２状態となってから所定時間経過したか否かを判定する。所定時間経過した場合（ステップＳ７において、Ｙｅｓ）、処理は、ステップＳ１３に進む。所定時間経過しない場合（ステップＳ７において、Ｎｏ）、処理は、ステップＳ９に進む。
【００６３】
ステップＳ９：表示制御部２７０は、所定の位置で操作があったか否かを判定する。所定の位置で操作がなかった場合（ステップＳ９において、Ｎｏ）、処理は、ステップＳ１５に進む。所定の位置で操作があった場合（ステップＳ９において、Ｙｅｓ）、処理は、ステップＳ１１に進む。
【００６４】
ステップＳ１１：表示制御部２７０は、第１情報と操作された所定の位置とに基づいて、表示部２１２が所定の位置に対応する画面を表示するように、表示部２１２を制御する。処理は終了する。
【００６５】
ステップＳ１３：表示制御部２７０は、第２記憶部２４０が第１情報を削除するように、第２記憶部２４０を制御する。処理は、ステップＳ１５に進む。
【００６６】
ステップＳ１５：表示制御部２７０は、表示部２１２が第１選択画面Ｐ１を表示するように、表示部２１２を制御する。処理は終了する。
【００６７】
（実施形態２）
図１〜図５を参照して、実施形態２に係る表示制御装置２００を説明する。実施形態２に係る表示制御装置２００は、カメラ２３０がユーザー情報を取得する点と、表示制御部２７０がユーザー情報を判定する点とを除いて、実施形態１に係る表示制御装置２００と同様の構成を有するため、重複部分については説明を省略する。
【００６８】
表示制御部２７０は、カメラ２３０が取得したユーザー情報に基づいて、第１状態のタッチパネル部２１０に所定の位置に対応する画面を表示する。具体的には、表示制御部２７０は、第１ユーザー情報と第２ユーザー情報とが一致するか否かを判定する。第１ユーザー情報は、タッチパネル部２１０が第２状態に変更される直前に取得したユーザー情報である。第２ユーザー情報は、第２状態のタッチパネル部２１０が、所定の位置に対する操作を検出した際にカメラ２３０が取得したユーザー情報である。第１ユーザー情報と第２ユーザー情報とが一致した場合、表示制御部２７０は、第１状態のタッチパネル部２１０に所定の位置に対応する画面を表示する。第１ユーザー情報と第２ユーザー情報とが一致しない場合、表示制御部２７０は、第１状態のタッチパネル部２１０に第１選択画面Ｐ１を表示する。
【００６９】
タッチパネル部２１０が第２状態となる前のユーザーとタッチパネル部２１０が第２状態から第１状態に変更されたときのユーザーが同じ場合、第１状態のタッチパネル部２１０に所定の位置に対応する画面を表示できる。異なったユーザーがタッチパネル部２１０を操作した場合は、第１選択画面Ｐ１が表示される。この結果、ユーザーの利便性が向上する。
【００７０】
以上、図面（図１〜図６）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００７１】
本発明は、表示制御装置、画像形成装置及び表示制御方法の分野に利用可能である。
【符号の説明】
【００７２】
１００  画像形成装置
１１０  画像形成部
１７１  休止部
１８０  画像読取部
２００  表示制御装置
２１０  タッチパネル部
２３０  カメラ（取得部）
２４０  第２記憶部（記憶部）
２７０  表示制御部
Ｐ２    第１アイコン
Ｐ４    第２アイコン
Ｐ５    第３アイコン
【図１】
2020005160.tif 000003
【図２】
2020005160.tif 000004
【図３】
2020005160.tif 000005
【図４】
2020005160.tif 000006
【図５】
2020005160.tif 000007
【図６】
2020005160.tif 000008